(57)【要約】【課題】  映像データを再生させる際、映像データに伴って表示される付加情報が有する、緊急通知手段としての機能を損なうことなく、付加情報の表示がユーザに与える煩わしさを軽減させるための表示制御装置を提供することを目的とする。【解決手段】  映像データと、映像データの表示に際して付加的に表示される情報である付加情報とを受け付ける受付部１０４と、付加情報を表示させる期間を特定するための情報である期間情報に基づき、付加情報を表示させるか否かの判定を行う判定部１１１と、判定部１１１が付加情報を表示させると判定した場合、付加情報と映像データとを出力する映像合成部１１２とを備える。【選択図】        図５
2006245946.tif 000002
【特許請求の範囲】
【請求項１】
映像データと、前記映像データの表示に際して付加的に表示される情報である付加情報とを受け付ける受付手段と、
前記付加情報を表示させる期間を特定するための情報である期間情報を利用して、前記付加情報を表示させるか否かを判定する判定手段と、
前記判定手段が前記付加情報を表示させると判定した場合、前記付加情報と前記映像データとを出力する出力手段と
を備える表示制御装置。
【請求項２】
前記期間情報は、前記付加情報を表示させる期間を示す情報であり、
前記判定手段は、現在日時が前記期間情報により示される期間に含まれている場合にのみ、前記付加情報を表示させると判定する
請求項１記載の表示制御装置。
【請求項３】
前記受付手段は、更に、前記付加情報に伴って送信された前記期間情報を受け付ける
請求項２記載の表示制御装置。
【請求項４】
前記受付手段は、更に、ユーザにより入力された前記期間情報を受け付ける
請求項２記載の表示制御装置。
【請求項５】
更に、付加情報の種別と前記付加情報を表示させる期間との対応を定義する期間定義情報を取得する取得手段を備え、
前記期間情報は、前記付加情報の種別を特定する種別情報であり、
前記判定手段は、前記取得手段によって取得された前記期間定義情報と前記種別情報とから前記付加情報を表示させる期間を特定し、現在日時が、特定した期間に含まれている場合、前記付加情報を表示させると判定する
請求項１記載の表示制御装置。
【請求項６】
前記取得手段は、ユーザにより入力された前記期間定義情報を取得し、
前記受付手段は、更に、前記付加情報に伴って送信された前記種別情報を受け付ける
請求項５記載の表示制御装置。
【請求項７】
更に、前記映像データと前記付加情報と前記期間情報とを記憶する記憶手段を備え、
前記受付手段は、前記記憶手段から読み出された前記映像データと前記付加情報と前記期間情報とを受け付ける
請求項１記載の表示制御装置。
【請求項８】
前記映像データは、放送番組の映像データである
請求項１記載の表示制御装置。
【請求項９】
前記付加情報はテキストデータ、静止画データまたは動画データで構成される情報である
請求項１記載の表示制御装置。
【請求項１０】
映像データを送信する送信装置であって、
前記映像データの表示に際して付加的に表示される情報である付加情報と、前記付加情報を表示させる期間を特定するための情報である期間情報とを受け付ける受付手段と、
前記映像データと、前記受付手段によって受け付けられた前記付加情報と前記期間情報とを送信する送信手段と
を備える送信装置。
【請求項１１】
前記期間情報は前記付加情報を表示させる期間を示す情報である
請求項１０記載の送信装置。
【請求項１２】
前記期間情報は前記付加情報の種別を示す情報である
請求項１０記載の送信装置。
【請求項１３】
映像データと、前記映像データの表示に際して付加的に表示される情報である付加情報とを受け付ける受付ステップと、
前記付加情報を表示させる期間を特定するための情報である期間情報を利用して、前記付加情報を表示させるか否かの判定を行う判定ステップと、
前記判定ステップにおいて前記付加情報を表示させると判定された場合、前記付加情報と前記映像データとを出力する出力ステップと
を含む表示制御方法。
【請求項１４】
映像データを送信する送信方法であって、
前記映像データの表示に際して付加的に表示される情報である付加情報と、前記付加情報を表示させる期間を特定するための情報である期間情報とを受け付ける受付ステップと、
前記映像データと、前記受付ステップにおいて受け付けられた前記付加情報と前記期間情報とを送信する送信ステップと
を含む送信方法。
【請求項１５】
映像データと、前記映像データの表示に際して付加的に表示される情報である付加情報とを受け付ける受付ステップと、
前記付加情報を表示させる期間を特定するための情報である期間情報を利用して、前記付加情報を表示させるか否かの判定を行う判定ステップと、
前記判定ステップにおいて前記付加情報を表示させると判定された場合、前記付加情報と前記映像データとを出力する出力ステップと
をコンピュータに実行させるためのプログラム。
【請求項１６】
映像データを送信するためのプログラムであって、
前記映像データの表示に際して付加的に表示される情報である付加情報と、前記付加情報を表示させる期間を特定するための情報である期間情報とを受け付ける受付ステップと、
前記映像データと、前記受付ステップにおいて受け付けられた前記付加情報と前記期間情報とを送信する送信ステップと
をコンピュータに実行させるためのプログラム。
【発明の詳細な説明】
【技術分野】
【０００１】
本発明は、映像データなどの表示を制御する表示制御装置、及び映像データなどを送信する送信装置に関する。
【背景技術】
【０００２】
テレビ放送において、通常の番組の放送中に、地震速報、台風情報といった臨時ニュースのように、放送事業者が緊急に伝えたい情報である優先表示情報が発生した際、放送事業者はそれまでの番組を中断せずに、優先表示情報を文字情報として番組の映像に重ねて放送する場合がある。
【０００３】
ここで、この優先表示情報を含む番組を、視聴者が一旦ＶＴＲ等に録画し、時間をおいて、例えば数日後に再生した場合、再生時には優先表示情報の価値は薄れてしまう。そのため、優先表示情報の表示は視聴者にとって番組の視聴の邪魔になるという課題がある。
【０００４】
この問題を解決する技術として、従来、特許文献１に示すようなのもがあった。この技術では、優先表示情報を、放送番組の映像や音声などのデータとは別の文字放送のデータとして放送ストリームに多重する。更に、その情報が優先表示情報であることを示すコードである優先表示コードを文字放送データに多重して送信する。
【０００５】
受信機は、文字放送データに優先表示コードが含まれている場合は、その文字放送データを画面上に強制的に表示する。
【０００６】
図１６（Ａ）は、受信機１５０において、放送番組に加え優先表示情報である“地震情報  本日ＸＸ時・・・”という臨時ニュース１５１が表示された場合の一例を示す図である。
【０００７】
この優先表示情報は、上述のように、放送番組の映像や音声とは別の文字放送のデータとして送られている。そのため、その番組を録画して後日再生した場合において、ユーザが、その優先表示情報を不要とする場合、ユーザの操作により臨時ニュース１５１を画面上から消すことが可能である。
【０００８】
図１６（Ｂ）は、図１６（Ａ）に示した臨時ニュース１５１が表示されず、放送番組のみが表示されている様子を示す図である。
これにより、ユーザは、優先表示情報の表示に邪魔されることなく番組を視聴することができる。
【特許文献１】特開平１０−１４５７５１号公報
【発明の開示】
【発明が解決しようとする課題】
【０００９】
上記従来の技術では、放送事業者側は、放送番組の映像データと、優先表示情報などの付加的な情報（以下、「付加情報」という。）とを別のデータとして多重した多重データを送信する。そのため、ユーザ側で、上述のように、付加情報を表示しないようにすることが可能である。
【００１０】
しかしながら、常に付加情報を表示しないようにしておいたのでは付加情報が有する緊急通知手段としての機能を発揮させることができない。そのため、視聴開始時の状態では必ず表示するようにしておく必要がある。
【００１１】
結果として、放送番組を一旦録画して再生した場合において、付加情報が必ず一旦は表示されてしまうこととなる。そのため、ユーザは、付加情報の内容が自分にとって必要であるか否かの判断を常に行う必要がある。更に、不要である場合、付加情報の表示をそのままにしておくと放送番組の視聴の邪魔になるため、その表示を消すための操作をいちいち行う必要がある。
【００１２】
本発明は上記課題を考慮し、映像データを再生させる際、映像データに伴って表示される付加情報が有する、緊急通知手段としての機能を損なうことなく、付加情報の表示がユーザに与える煩わしさを軽減させるための送信装置および表示制御装置を提供することを目的とする。
【課題を解決するための手段】
【００１３】
上記目的を達成するために、本発明の表示制御装置は、映像データと、前記映像データの表示に際して付加的に表示される情報である付加情報とを受け付ける受付手段と、前記付加情報を表示させる期間を特定するための情報である期間情報を利用して、前記付加情報を表示させるか否かを判定する判定手段と、前記判定手段が前記付加情報を表示させると判定した場合、前記付加情報と前記映像データとを出力する出力手段とを備える。
【００１４】
これにより、本発明の表示制御装置は、前記付加情報を表示させる期間を特定するための情報である期間情報を利用して付加情報の出力の制御を行うことができる。つまり、録画された映像データを再生させた際、期間情報により特定される期間に付加情報を表示させることができる。そのため、映像データを視聴するユーザは付加情報を見ることができ、かつ、特定の期間以外は、付加情報に邪魔されることなく映像データを見ることができる。
【００１５】
また、本発明の表示制御装置において、前記期間情報は、前記付加情報を表示させる期間を示す情報であり、前記判定手段は、現在日時が前記期間情報により示される期間に含まれている場合にのみ、前記付加情報を表示させると判定する。
【００１６】
また、前記受付手段は、更に、前記付加情報に伴って送信された前記期間情報を受け付ける構成とすることができる。
【００１７】
これにより、付加情報を表示させる期間を、映像データを送信する側が決定できる。つまり映像データを送信する側が意図する期間にのみ付加情報を表示させることができる。
【００１８】
または、前記受付手段は、更に、ユーザにより入力された前記期間情報を受け付ける構成とすることができる。これにより、映像データを受信する側であるユーザが意図する期間にのみ付加情報を表示させることができる。
【００１９】
また、本発明の表示制御装置は、更に、付加情報の種別と前記付加情報を表示させる期間との対応を定義する期間定義情報を取得する取得手段を備え、前記期間情報は、前記付加情報の種別を特定する種別情報であり、前記判定手段は、前記取得手段によって取得された前記期間定義情報と前記種別情報とから前記付加情報を表示させる期間を特定し、現在日時が、特定した期間に含まれている場合、前記付加情報を表示させると判定する構成とすることができる。これにより、付加情報の種別ごとに、付加情報を表示させる期間を決定することができる。
【００２０】
また、前記取得手段は、ユーザにより入力された前記期間定義情報を取得し、前記受付手段は、更に、前記付加情報に伴って送信された前記種別情報を受け付ける構成とすることができる。これにより、ユーザが、付加情報の種別ごとに、付加情報を表示させる期間を決定できる。
【００２１】
また、本発明の表示制御装置は、前記映像データと前記付加情報と前記期間情報とを記憶する記憶手段を備え、前記受付手段は、前記記憶手段から読み出された前記映像データと前記付加情報と前記期間情報とを受け付ける構成とすることができる。
【００２２】
このように、本発明の表示制御装置は、映像データを記憶する手段を内包することができ、別途記憶装置を用意する必要がない。
【００２３】
また、本発明の表示制御装置において、映像データとして、放送番組の映像データを扱うことができる。これにより、本発明の表示制御装置を家庭用のテレビやハードディスコレコーダ等で利用することができる。
【００２４】
また、本発明の表示制御装置において、付加情報としてテキストデータ、静止画データまたは動画データで構成される情報を扱うことができる。これにより、付加情報を送信する側は、意図したデザインが施された書体や画像等で付加情報をユーザに伝えることができる。
【００２５】
また、本発明の送信装置は、映像データを送信する送信装置であって、前記映像データの表示に際して付加的に表示される情報である付加情報と、前記付加情報を表示させる期間を特定するための情報である期間情報とを受け付ける受付手段と、前記映像データと、前記受付手段によって受け付けられた前記付加情報と前記期間情報とを送信する送信手段とを備える。
【００２６】
これにより、通常の映像データに加えて、付加情報を送信することができ、更に、付加情報を表示させる期間を特定するための情報である期間情報を送信することができる。つまり、映像データと付加情報とを受信する側で、送信する側が意図した期間にのみ付加情報を表示させることが可能となる。
【００２７】
また、本発明の送信装置において、前記期間情報は、前記付加情報を表示させる期間を示す情報である構成とすることができる。これにより、映像データを送信する側が、付加情報を表示させるための期間を日時等で指定することができる。
【００２８】
また、本発明の送信装置において、前記期間情報は、前記付加情報の種別を示す情報である構成とすることができる。これにより、映像データを送信する側が、付加情報を表示させるための期間を特定させるために、付加情報の種別を送信することができる。つまり、映像データを受信する側が、付加情報の種別ごとに、付加情報を表示させる期間を決定することが可能となる。
【００２９】
また、本発明の表示制御装置は、本発明の表示制御装置の特徴的な構成手段をステップとする表示制御方法として実現したり、それらのステップを含むプログラムとして実現することもできる。また、そのプログラムは、ＣＤ−ＲＯＭ等の記録媒体や通信ネットワーク等の伝送媒体を介して流通させることもできる。
【００３０】
また、本発明の送信装置は、本発明の送信装置の特徴的な構成手段をステップとする送信方法として実現したり、それらのステップを含むプログラムとして実現することもできる。また、そのプログラムは、ＣＤ−ＲＯＭ等の記録媒体や通信ネットワーク等の伝送媒体を介して流通させることもできる。
【発明の効果】
【００３１】
本発明は、映像データを再生させる際、映像データに伴って表示される付加情報が有する、緊急通知手段としての機能を損なうことなく、付加情報の表示がユーザに与える煩わしさを軽減させるための表示制御装置および送信装置を提供することができる。
【発明を実施するための最良の形態】
【００３２】
以下、本発明の実施の形態について図面を用いて説明する。
【００３３】
（実施の形態１）
先ず、実施の形態１の放送システムの構成を、図１〜図５を用いて説明する。
【００３４】
図１は、実施の形態１の放送システムの概要を示す図である。実施の形態１の放送システムは、放送事業者が意図した期間にのみ、付加情報をユーザの表示装置に表示させるためのシステムである。
【００３５】
図１に示すように、実施の形態１の放送システムは、送信装置５０と、受信装置１と、表示装置３０とを備える。送信装置５０は放送事業者の社屋に置かれ、受信装置１と表示装置３０とは、ユーザの家屋に置かれている。
【００３６】
実施の形態１の放送システムは、デジタルテレビ放送において、付加情報として臨時ニュースなどの優先表示情報が送信される場合を想定する。
【００３７】
送信装置５０は、放送番組をユーザに視聴させるための放送ストリームを生成し、送信する装置である。放送ストリームについては、図４を用いて後述する。受信装置１は、放送ストリームを受信し、受信した放送ストリームまたは記憶した放送ストリームに、表示装置３０に表示させるための処理を行い出力する装置である。なお、受信装置１は、本発明の表示制御装置の一例である。表示装置３０は、液晶テレビ等のテレビ受像機であり、受信装置１から受信する信号に基づき画面表示を行う装置である。また、音声出力のためのスピーカも備えている。
【００３８】
図２は、送信装置５０および受信装置１の構成の概要を示す図である。各装置の詳細な構成は図３および図４を用いて説明する。
【００３９】
送信装置５０は、実体データ生成部５１と、付加データ生成部５２を備える。実体データ生成部５１は、放送番組の映像データや音声データを含む実体データを生成する処理部である。付加データ生成部５２は、付加情報を含むデータである付加データを生成する処理部である。
【００４０】
送信装置５０において生成された実体データと付加データとは多重化され、放送ストリームとして受信装置１に送信される。
【００４１】
受信装置１は、実体データ処理部１１と、付加データ処理部１２とを備える。実体データ処理部１１は、放送ストリームに含まれる実体データの抽出やデコードなどを行い、放送番組の映像および音声を出力する処理部である。付加データ処理部１２は、放送ストリームに含まれる付加データの抽出やデコードなどを行い、付加情報の表示の制御を行う処理部である。
【００４２】
受信装置１が放送ストリームをデコードし、表示装置３０に出力することにより、ユーザは表示装置３０に表示される放送番組および付加情報を視聴することができる。
【００４３】
図３は、送信装置５０の機能的な構成を示す機能ブロック図である。送信装置５０は上述のように放送ストリームを送信する装置であり、実体データ生成部５１と付加データ生成部５２とを備え、更に、多重化部５９を備える。
【００４４】
また、送信装置５０には、送信装置５０を操作するオペレータ（以下、単に「オペレータ」という。）が送信装置５０に情報の入力などを行うためのキーボード４０およびディスプレイ４１が接続されている。
【００４５】
実体データ生成部５１は、放送番組記憶部５３と映像・音声データパケット生成部５４とを備える。放送番組記憶部５３は、放送番組の映像データおよび音声データが記憶された記憶装置である。映像・音声データパケット生成部５４は、放送番組記憶部５３から映像データおよび音声データを読み出し、それらを含むパケットである映像・音声データパケットを生成する処理部である。
【００４６】
付加データ生成部５２は、受付部５６と、有効期間設定部５７と、付加データパケット生成部５８とを備える。受付部５６は、キーボード４０から入力される情報を受け付け、受け付けた内容を有効期間設定部５７、または、ディスプレイ４１に送信する処理部である。有効期間設定部５７は、キーボード４０から入力される地震情報などの付加情報に対し、その付加情報が表示される期間である有効期間を設定するための処理部である。なお、有効期間は放送事業者により決定され、オペレータによりキーボード４０から入力される。付加データパケット生成部５８は、付加情報を含むパケットである付加データパケットを生成する処理部である。
【００４７】
多重化部５９は、実体データ生成部５１により生成された映像・音声データパケットと、付加データ生成部５２により生成された付加データパケットとを多重し、放送ストリームとして送信する処理部である。なお、多重化部５９は、本発明の送信装置における送信手段の一例である。
【００４８】
図４は、送信装置５０から送信される放送ストリームのデータ構成の一例を示す図である。
【００４９】
図４に示すように、放送ストリーム２は、映像・音声データパケット２０と付加データパケット２１が多重された構成をしている。図４に示す放送ストリーム２において、斜線が引かれた矩形領域は付加データパケット２１を示し、斜線が引かれていない矩形領域は映像・音声データパケット２０を示す。
【００５０】
付加データパケットは、データ項目として、付加情報データ２１３と、有効期間２１２と、優先表示フラグ２１１と、パケット識別子２１０とを有する。付加情報データ２１３は、放送番組の映像に重ねて画面上に表示される付加情報の内容のデータである。
【００５１】
有効期間２１２は、本発明の表示制御装置および送信装置における期間情報の一例であり、付加情報データ２１３を表示する期間を放送時刻からの時間により示す情報である。実施の形態１においては、図４に例示するように、優先表示フラグ２１１は、付加情報データ２１３が、優先表示情報であるか否かを示す情報である。付加情報データ２１３が１であれば優先表示情報であることを示す。パケット識別子２１０は、それぞれのパケットを識別する識別子である。
【００５２】
実施の形態１において、上記各データ項目の内容は、図４に例示する内容を想定する。すなわち、付加情報データ２１３は、“地震情報  本日ＸＸ時・・・”という内容を持つ臨時ニュースのテキストデータであり、有効期間２１２は、放送時刻である“２００５年２月１４日１０時１２分”から“３０分”である。また、優先表示フラグ２１１は“１”であり、付加情報データ２１３は優先表示情報である。また、パケット識別子２１０は“Ｐ１００８”である。なお、放送時刻は上述のように年月日を含む情報である。
【００５３】
なお、上記例示内容は、付加データパケット２１の説明のための内容であり、実際には、付加情報データ２１３等の内容は、複数の付加データパケット２１に分割される。また、臨時ニュースの内容および有効期間の“３０分”は、上述のように、送信装置５０においてオペレータによって入力される。有効期間の始期である“２００５年２月１４日１０時１２分”を示す情報は付加データパケット生成部５８によって付与される。
【００５４】
図５は、実施の形態１における受信装置の機能的な構成を示す機能ブロック図である。受信装置１は、上述のように、受信または記憶した放送ストリーム２をデコードし、表示装置３０へ出力する装置であり、実体データ処理部１１と、付加データ処理部１２とを備え、更に、映像合成部１１２と、入力部１１３とを備える。
【００５５】
入力部１１３は、ユーザが、受信装置１に指示を入力するためのボタンやキー等である。
【００５６】
実体データ処理部１１は、受信部１０１と放送ストリーム記憶部１０２と、管理部１０３と、受付部１０４と、映像・音声デコード部１０５とを有する。
【００５７】
受信部１０１は、送信装置５０から送信される放送ストリーム２を受信する処理部である。放送ストリーム記憶部１０２は、受信部１０１が受信する放送ストリーム２を記憶する記憶装置である。管理部１０３は、放送ストリーム記憶部１０２の情報の入出力の管理を行う処理部である。受付部１０４は、入力部１１３から送信されるユーザの指示に従い、受信部１０１が受信する放送ストリーム２または放送ストリーム記憶部１０２に記憶されている放送ストリーム２を受け付け、映像・音声デコード部１０５および付加データパケット抽出部１０６へ出力する処理部である。映像・音声デコード部１０５は、放送ストリーム２に含まれる映像・音声データパケット２０を抽出し、デコードする処理部である。
【００５８】
付加データ処理部１２は、付加データパケット抽出部１０６と、フラグ抽出部１０７と、有効期間抽出部１０８と、付加情報デコード部１０９と、時計１１０と、判定部１１１とを有する。
【００５９】
付加データパケット抽出部１０６は、放送ストリーム２に含まれる付加データパケット２１を抽出する処理部である。フラグ抽出部１０７は、付加データパケット２１に含まれる優先表示フラグ２１１を抽出する処理部である。有効期間抽出部１０８は、付加データパケット２１に含まれる有効期間２１２を抽出する処理部である。付加情報デコード部１０９は、判定部１１１の指示に従い、付加データパケット２１から付加情報データ２１３を抽出し、デコードする処理部である。時計１１０は、現在日時を示す構成部である。
【００６０】
判定部１１１は、フラグ抽出部１０７が抽出した優先表示フラグ２１１と、有効期間抽出部１０８が抽出した有効期間２１２と、時計１１０が示す時刻とに基づき、付加情報を表示させるか否かを判定する処理部である。判定部１１１は、付加情報を表示させると判定した場合、付加情報デコード部１０９に、付加情報データ２１３のデコードを指示する。具体的には、優先表示フラグが１であり、時計１１０が示す時刻が、有効期間２１２に示される期間内である場合、付加情報デコード部１０９に、付加情報データ２１３の抽出およびデコードを指示する。
【００６１】
映像合成部１１２は、本発明の表示制御装置における出力手段の一例であり、実体データ処理部１１から出力される放送番組の映像と、付加データ処理部１２から出力される映像とを合成して出力する処理部である。なお、実体データ処理部１１から出力される放送番組の音声も、映像合成部１１２を介し出力される。
【００６２】
出力された映像と音声は、表示装置３０によって表示および音声出力され、ユーザは視聴することができる。
【００６３】
次に、実施の形態１における送信装置５０および受信装置１の動作を説明する。
放送ストリーム２は、図２を用いて説明したように、放送事業者が有する送信装置５０によって生成され送信される。以下に、送信装置５０が放送ストリーム２を生成し、送信する動作を説明する。なお、放送ストリーム２に含まれる情報の内容は、図４に例示した内容であり、付加情報として臨時ニュースである優先表示情報が送信されると想定する。
【００６４】
送信装置５０において、映像・音声データパケット生成部５４が、放送番組記憶部５３から放送番組の映像および音声のデータを読み出し、映像・音声データパケット２０（図４参照）を生成し、多重化部５９へ出力する。
【００６５】
有効期間設定部５７は、オペレータからの臨時ニュースの内容の入力を受付部５６を介して受け取る。更に、有効期間となる“３０分”という情報を受け取り、臨時ニュースの内容と、“３０分”という情報を付加データパケット生成部５８に出力する。
【００６６】
付加データパケット生成部５８は、有効期間設定部５７から受け取った情報に基づき、付加データパケット２１（図４参照）を生成し、多重化部５９へ出力する。
【００６７】
多重化部５９は、映像・音声データパケット２０と付加データパケット２１とを多重化し放送ストリーム２を生成し送信する。
【００６８】
受信装置１は、上記動作により送信装置５０から送信された放送ストリーム２を受信し、図６に示す動作により、放送ストリーム２の処理を行い、表示装置３０に出力する。
【００６９】
図６は、受信装置１が放送ストリーム２を処理し、表示装置３０に出力する際の動作の流れを示すフロー図である。図６を用いて、受信装置１の動作を説明する。
【００７０】
ユーザは、入力部１１３から、受信装置１に対し、受信する放送ストリーム２をそのまま視聴するのか、放送ストリーム記憶部１０２に記憶されている放送ストリーム２を再生させるのかの指示を行う。まず、ユーザが、受信する放送ストリーム２をそのまま視聴する場合の動作を説明する。
【００７１】
［１．受信する放送ストリーム２をそのまま視聴する場合の動作］
受付部１０４は、ユーザの入力部１１３からの指示を受け付ける（Ｓ１）。ユーザの指示は、受信する放送ストリーム２をそのまま視聴するための指示であり、記憶された放送ストリーム２の再生ではないため（Ｓ２でＮＯ）、受信部１０１から送信される放送ストリーム２を受け付ける（Ｓ３）。
【００７２】
映像・音声デコード部１０５は、受付部１０４から受け取る放送ストリーム２から、映像・音声データパケット２０を抽出し、映像および音声のデコードを行い（Ｓ５）、映像合成部１１２に出力する。
【００７３】
付加データパケット抽出部１０６は、受付部１０４から受け取る放送ストリーム２から、パケット識別子２１０に従って付加データパケット２１を抽出する（Ｓ６）。
【００７４】
抽出された付加データパケット２１から、フラグ抽出部１０７は優先表示フラグ２１１を抽出し（Ｓ７）、有効期間抽出部１０８は有効期間２１２を抽出する（Ｓ８）。
【００７５】
ここで、抽出される優先表示フラグ２１１は、“１”であり、有効期間２１２は、“２００５年２月１４日１０時１２分”から“３０分”である（図４参照）。また、受信した放送ストリーム２をそのまま視聴する場合であるため、時計１１０が示す現在日時は有効期間２１２が示す期間に含まれている。
【００７６】
つまり、フラグが“１”であり、時計１１０が示す時刻が、有効期間２１２に示される期間内であることから（Ｓ９でＹＥＳ）、判定部１１１は、付加情報デコード部１０９に、付加情報データ２１３のデコードを指示する。
【００７７】
付加情報デコード部１０９は、付加データパケット２１に含まれる付加情報データ２１３を抽出し、デコードする（Ｓ１０）。このデコードにより“地震情報  本日ＸＸ時・・・”（図４参照）という臨時ニュースの字幕の映像が映像合成部１１２へ出力される。
【００７８】
映像合成部１１２は、映像・音声デコード部１０５から出力された放送番組の映像と、付加情報デコード部１０９から出力された臨時ニュースの字幕の映像とを合成する（Ｓ１１）。また、合成した映像と、映像・音声デコード部１０５から出力された放送番組の音声とを表示装置３０へ出力する（Ｓ１２）。
【００７９】
以上の動作により、表示装置３０の画面上に、放送番組の映像に重ねて、臨時ニュースの字幕が表示される。
【００８０】
次に、放送ストリーム２を放送ストリーム記憶部１０２に記憶し、１時間後に再生した場合について説明する。
【００８１】
［２．放送ストリーム２を、記憶された１時間後に再生した場合］
放送ストリーム２は、ユーザの入力部１１３からの指示により、放送ストリーム記憶部１０２に記憶されている。また、放送ストリーム２は、そのままの形で、すなわち、付加情報データ２１３、有効期間２１２、優先表示フラグ２１１などの情報も含めて記憶されている。
【００８２】
受付部１０４は、ユーザの指示を受け付ける（Ｓ１）。ユーザの指示は、記憶されている放送ストリーム２を視聴するための指示であり（Ｓ２でＹＥＳ）、管理部１０３を介し放送ストリーム記憶部１０２から、放送ストリーム２を読み出す（Ｓ４）。受付部１０４は読み出された放送ストリーム２を受け付け、映像・音声デコード部１０５および付加データパケット抽出部１０６へ出力する。
【００８３】
映像・音声デコード部１０５は、受付部１０４から受け取る放送ストリーム２から、映像・音声データパケット２０を抽出し、映像および音声のデコードを行い（Ｓ５）、映像合成部１１２に出力する。
【００８４】
付加データパケット抽出部１０６は、受付部１０４から受け取る放送ストリーム２から、パケット識別子２１０に従って付加データパケット２１を抽出する（Ｓ６）。
【００８５】
抽出された付加データパケット２１から、フラグ抽出部１０７は優先表示フラグ２１１を抽出し（Ｓ７）、有効期間抽出部１０８は有効期間２１２を抽出する（Ｓ８）。
【００８６】
抽出された優先表示フラグ２１１は、“１”であり、有効期間２１２は、“２００５年２月１４日１０時１２分”から“３０分”である（図４参照）。
【００８７】
ここで、放送ストリーム２を録画して１時間後、つまり、放送時刻から１時間後であるため、時計１１０が示す現在日時は有効期間２１２が示す期間を経過して３０分後である。従って、時計１１０が示す現在日時は、有効期間２１２が示す期間に含まれていない（Ｓ９でＮＯ）。
【００８８】
そのため、判定部１１１は、付加情報デコード部１０９に、付加データパケットのデコードを指示せず、付加情報デコード部１０９による付加情報データ２１３のデコードは行われない。
【００８９】
映像合成部１１２は、映像・音声デコード部１０５から出力された放送番組の映像と音声とを受け取り、表示装置３０へ出力する。
【００９０】
以上の動作により、表示装置３０の画面上に付加情報は表示されず、放送番組のみが表示される。
【００９１】
なお、放送ストリーム２の記憶時から３０分以内に、記憶された放送ストリーム２を再生した場合は、優先表示フラグ２１１は、“１”であり、かつ、時計１１０が示す現在日時が有効期間２１２に示される期間に含まれていると判断し（Ｓ９でＹＥＳ）、付加情報データ２１３がデコードされる（Ｓ１０）。更に、放送番組の映像と臨時ニュースの字幕の映像とが合成され（Ｓ１１）、表示装置３０に出力される（Ｓ１２）。
【００９２】
このように、実施の形態１の放送システムでは、放送事業者が、送信装置５０から付加情報として優先表示情報を含む放送ストリームを送信する際、その優先表示情報が表示される期間である有効期間を、送信装置５０において設定することができる。
【００９３】
また、受信装置１において、記憶された放送ストリームを再生する際に、再生時の日時が有効期間に含まれているか否かを判定部１１１が判定する。有効期間に含まれていれば、付加情報デコード部１０９が優先表示情報を表示するためのデータのデコードを行い、優先表示情報は表示される。再生時の日時が有効期間に含まれていなければ、付加情報デコード部１０９によるデコードは行われず、優先表示情報は表示されない。
【００９４】
上述のように、実施の形態１の放送システムでは、放送事業者の意図する期間にのみ、付加情報を表示させることができる。これにより、例えば、重要な付加情報の有効期間を長くすることや、短い周期で変動する付加情報の有効期間を短くすることなどが放送事業者の意思により決定することができる。
【００９５】
（実施の形態２）
次に、実施の形態２の放送システムを図７〜９を用いて説明する。
【００９６】
上述の実施の形態１の放送システムは、放送事業者の意図する期間にのみ、付加情報を表示させるためのシステムである。それに対し、実施の形態２の放送システムは、付加情報の種別ごとに、ユーザが、表示する期間を設定できるシステムである。
【００９７】
実施の形態２の放送システムでは、実施の形態１と同様に、デジタルテレビ放送において、付加情報として臨時ニュースなどの優先表示情報が送信される場合を想定する。また、放送ストリームは送信装置５０から送信され、受信装置が受信する。受信装置は、放送ストリームにデコード等の処理を行い、表示装置３０に出力する。
【００９８】
以下、実施の形態２の放送システムにおいて特徴的な事項を説明する。
実施の形態２における送信装置５０は、図７に示す放送ストリーム３を生成し、送信する。
【００９９】
図７は、実施の形態２における送信装置５０が生成し送信する放送ストリームのデータ構成の一例を示す図である。
【０１００】
図７に示す放送ストリーム３は、図４に示す、実施の形態１における放送ストリーム２と比較すると、付加データパケット２１に、有効期間２１２に換えて種別２１４を有している。
【０１０１】
種別２１４は、本発明の表示制御装置および送信装置における期間情報の一例であり、放送時刻と、付加情報データ２１３が示す内容の種別を示す番号である種別番号とを有している。この種別番号により、付加情報データ２１３の内容の種別が特定される。例えば、種別番号“０１”であれば、“災害”に関する内容であることが特定される。種別ごとの内容については、図９を用いて後述する。
【０１０２】
実施の形態２においては、図７に示すように、種別２１４に含まれる種別番号は、“０１”であると想定する。また、放送時刻は“２００５年２月１４日１０時１２分”であると想定する。
【０１０３】
なお、付加情報データ２１３および優先表示フラグ２１１は、実施の形態１の放送ストリーム２と同じであり、臨終ニュースのテキストデータおよび"１"である。また、パケット識別子２１０は"Ｐ１２４６"である。
【０１０４】
上述の種別番号は放送事業者により決定され、送信装置５０において、オペレータが入力することにより、有効期間設定部５７を介し付加データパケット生成部５８へ送られる。付加データパケット生成部５８は、実施の形態１の付加データパケット２１における有効期間２１２を種別２１４と置き換えた付加データパケット２１を生成し、多重化部５９へ出力する。
【０１０５】
多重化部５９は、映像・音声データパケット生成部５４から受け取る映像・音声データパケット２０と、上述の、種別２１４を含む付加データパケット２１とを多重化し送信する。
【０１０６】
実施の形態２の放送システムにおいて、図８に示す受信装置１２１が放送ストリーム３を受信する。
【０１０７】
図８は、実施の形態２における受信装置の機能的な構成を示す機能ブロック図である。図８に示す受信装置１２１は、実施の形態１の受信装置１と同様に、受信または記憶した放送ストリーム３をデコードし、表示装置３０へ出力する装置であり、実体データ処理部１１と、付加データ処理部１２と、映像合成部１１２と、入力部１１３とを備える。
【０１０８】
図８に示すように、受信装置１２１は、図５に示す受信装置１とは異なり、付加データ処理部１２に、定義取得部１１５と、期間定義記憶部１１６とを有している。また、有効期間抽出部１０８に換えて種別抽出部１１７を有している。その他の構成は、図５に示す受信装置１と同じ構成である。
【０１０９】
期間定義記憶部１１６は、付加情報の種別と付加情報を表示する期間との対応が定義された期間定義情報を記憶する記憶装置である。定義取得部１１５は、入力部１１３からユーザにより入力される期間定義情報を取得し、期間定義記憶部１１６に記憶させる処理部である。種別抽出部１１７は、付加データパケット２１から種別２１４を抽出する処理部である。
【０１１０】
図９は、期間定義記憶部１１６に記憶されている期間定義情報のデータ構成の一例を示す図である。実施の形態２において、期間定義情報はユーザにより入力される情報である。
【０１１１】
図９に示すように、期間定義情報は、種別ごとの有効期間が定義された情報であり、種別番号、種別名および有効期間というデータ項目を有している。図９に示すように、例えば、種別番号“０１”は、種別名が“災害”であり、有効期間は“３０分”であるという内容を特定することができる。
【０１１２】
つまり、種別２１４に含まれる種別番号が“０１”である付加データパケット２１の付加情報データ２１３は、“災害”に関する情報であり、表示する有効期間は放送時刻から“３０分”であることを特定することができる。
【０１１３】
期間定義情報は、上述のように、ユーザにより入力される情報であり、上記の有効期間“３０分”はユーザにより決定され入力されたものである。なお、種別番号、種別名は、放送事業者によって定義されており、予め期間定義記憶部１１６に記憶されている。
【０１１４】
以下、受信装置１２１が放送ストリーム３を受信し、デコード等の処理を行う際の動作を、定義取得部１１５、期間定義記憶部１１６および種別抽出部１１７の動作を中心に説明する。
【０１１５】
ユーザは、付加情報を表示する期間を、その内容の種別ごとに設定する。具体的には、映像合成部１１２が生成し、表示装置３０に出力する設定画面上で、各種別番号に対応する有効期間を入力する。入力は、入力部１１３から行われる。
【０１１６】
入力部１１３から入力された内容は定義取得部１１５が取得し、期間定義記憶部１１６に記憶させる。これにより、図９に示す期間定義情報が期間定義記憶部１１６に記憶される。
【０１１７】
上記の動作により期間定義情報が記憶された後、ユーザの入力部１１３からの指示により、受信部１０１が受信する放送ストリーム３、または放送ストリーム記憶部１０２に記憶されている放送ストリーム３が、受付部１０４を介し、映像・音声デコード部１０５および付加データパケット抽出部１０６へ送られる。
【０１１８】
映像・音声デコード部１０５は、上述の実施の形態１における映像・音声デコード部１０５と同様に、放送ストリーム３から映像・音声データパケット２０の抽出およびデコードを行い、映像合成部１１２へ出力する。
【０１１９】
付加データパケット抽出部１０６は、放送ストリーム３から付加データパケット２１の抽出を行い、フラグ抽出部１０７は、付加データパケット２１から優先表示フラグ２１１の抽出を行い、判定部１１１へ送る。
【０１２０】
種別抽出部１１７は、付加データパケット２１から種別２１４の抽出を行い、判定部１１１へ送る。実施の形態２において種別２１４は図７に示すように、放送時刻“２００５年２月１４日１０時１２分”と種別番号“０１”とを含んでいる。
【０１２１】
判定部１１１は、期間定義記憶部１１６を参照し、種別番号“０１”の有効期間を取得する。図９に示すように、種別番号“０１”の有効期間は“３０分”である。
【０１２２】
よって、判定部１１１は、時計１１０を参照し、放送時刻“２００５年２月１４日１０時１２分”から３０分以内、つまり“２００５年２月１４日１０時４２分”より早い時間であるか否かを調べる。
【０１２３】
例えば、時計１１０が示す現在日時が“２００５年２月１４日１０時３０分”である場合、優先表示フラグ２１１は、“１”であり、かつ、現在日時が、有効期間内であることから、実施の形態１と同様に、付加情報デコード部１０９に、付加情報データ２１３のデコードを指示する。
【０１２４】
付加情報デコード部１０９は、付加データパケット２１に含まれる付加情報データ２１３を抽出し、デコードする。このデコードにより“地震情報  本日ＸＸ時・・・”（図４参照）という臨時ニュースの字幕の映像が映像合成部１１２へ出力される。
【０１２５】
また、例えば、時計１１０が示す現在日時が“２００５年２月１４日１１時００分”である場合、現在日時が、有効期間内でないことから、実施の形態１と同様に、判定部１１１は、付加情報デコード部１０９に付加情報データ２１３のデコードを指示せず、付加情報デコード部１０９による付加情報データ２１３のデコードは行われない。
【０１２６】
このように、実施の形態２の放送システムにおいても、実施の形態１の放送システムと同様に、付加情報データ２１３を表示する有効期間内に再生した場合、付加情報データ２１３はデコードされ表示される。また、有効期間内でない場合、付加情報データ２１３はデコードされず表示されない。
【０１２７】
ここで、有効期間は、実施の形態１の放送システムでは放送事業者が決定するとしたが、実施の形態２の放送システムでは、ユーザが決定し、受信装置１２１に設定することができる。
【０１２８】
これにより、例えば、視聴せずに録画した放送番組を録画から一日が経過した後に再生する場合においても、ユーザが臨時ニュース等の付加情報も含めて視聴したい場合、有効期間を２４時間以上にしておくことで、ユーザは、臨時ニュース等の付加情報を視聴することができる。
【０１２９】
また、有効期間は、付加情報の種別ごとに設定できる。そのため、例えば、スポーツに関する情報のみ取り逃がしたくないユーザは、種別名“スポーツ”に対応する有効期間を長く設定し、それ以外の種別名“政治”などに対応する有効期間を短く設定することで、録画した放送番組を再生した場合に、スポーツに関する臨時ニュースのみを視聴することができる。
【０１３０】
（実施の形態３）
次に、実施の形態３の放送システムを図１０〜１４を用いて説明する。
【０１３１】
上述の実施の形態２の放送システムは、ユーザが、付加情報の種別ごとに表示の有効期間を設定できるシステムである。それに対し、実施の形態３の放送システムは、ユーザが、付加情報ごとに表示の有効期間を設定できるシステムである。
【０１３２】
実施の形態３の放送システムでは、実施の形態１および２と同様に、デジタルテレビ放送において、付加情報として臨時ニュースなどの優先表示情報が送信される場合を想定する。また、実施の形態１における放送ストリーム２が送信装置５０によって生成され送信される場合を想定する。
【０１３３】
以下、実施の形態３の放送システムにおいて特徴的な事項を説明する。
実施の形態３の放送システムにおいて、放送ストリーム２は、図１０に示す受信装置１２２が受信し処理を行う。
【０１３４】
図１０は、実施の形態３における受信装置の機能的な構成を示す機能ブロック図である。図１０に示す受信装置１２２は、実施の形態１の受信装置１と同様に、受信または記憶した放送ストリーム２をデコードし、表示装置３０へ出力する装置であり、実体データ処理部１１と、付加データ処理部１２と、映像合成部１１２と、入力部１１３とを備える。
【０１３５】
図１０に示すように、受信装置１２２は、図５に示す受信装置１とは異なり、付加データ処理部１２に、有効期間取得部１１８を有している。その他の構成は、図５に示す受信装置１と同じ構成である。
【０１３６】
有効期間取得部１１８は、ユーザにより入力部１１３から入力される有効期間を取得し、管理部１０３を介し、放送ストリーム記憶部１０２に記憶させる処理部である。
【０１３７】
入力部１１３からの入力により、具体的には付加データパケット２１の有効期間２１２（図４参照）が書き換えられる。
【０１３８】
図１１は、映像合成部１１２によって生成され、表示装置３０に表示される録画リスト表示画面の一例を示す図である。図１１に示す録画リスト表示画面３００は、放送ストリーム記憶部１０２に記憶されている放送番組をリスト表示するための画面である。
【０１３９】
具体的には、放送ストリーム記憶部１０２には、受信部１０１が受信する電子番組表であるＥＰＧ（Ｅｌｅｃｔｒｏｎｉｃ  Ｐｒｏｇｒａｍ  Ｇｕｉｄｅ）のデータを利用し、放送番組のタイトル等が放送ストリーム２と対応付けられて記憶されている。また、録画日時も記憶されている。
【０１４０】
管理部１０３は、放送ストリーム記憶部１０２から、放送ストリーム２の放送番組のタイトルと、録画日時とを取得し、更に、付加データパケット２１が存在する場合は、付加データパケット２１を取得する。取得したこれらの情報は映像合成部１１２へ出力する。映像合成部１１２はそれら放送番組のタイトル等を受け取り、録画リスト表示画面３００を生成し、出力する。
【０１４１】
図１１に示すように、録画リスト表示画面３００には、タイトル、録画日時のほかに、付加表示の欄があり、付加表示の欄に“○”が表示されている横には、変更ボタン３０１が表示されている。
【０１４２】
付加表示の欄の“○”は、その放送番組の中で臨時ニュース等の付加情報の表示があったことを示し、変更ボタンは、付加情報の表示の有効期間の変更を行うためのボタンである。ユーザは、受信装置１２２の入力部１１３を操作することにより、画面上で、変更ボタン３０１をクリックすることができる。
【０１４３】
例えば、付加表示の欄が“○”である“音楽「○○○ａｔ武道館」”の行の変更ボタン３０１がユーザによりクリックされると図１２に示す有効期間変更ウィンドウ３１０が表示される。
【０１４４】
図１２は、映像合成部１１２によって生成され、表示装置３０に表示される有効期間変更ウィンドウの一例を示す図である。図１２に示す有効期間変更ウィンドウ３１０は、付加情報の表示の有効期間を変更するためのウィンドウであり、図１１の録画リスト表示画面３００に重ねて表示される。
【０１４５】
図１２に示すように、有効期間変更ウィンドウ３１０には、付加情報の内容や有効期間である“２４時間”が表示されており、変更後の有効期間を入力するための有効期間変更欄３１１が表示されている。図１２に示す例では、有効期間変更欄３１１に“１時間”と入力されており、ユーザにより変更実行ボタン３１２がクリックされると、有効期間取得部１１８は有効期間変更欄３１１に入力された“１時間”と、該当する付加データパケット２１のパケット識別子２１０とを取得する。
【０１４６】
有効期間取得部１１８は、管理部１０３へ“１時間”とパケット識別子２１０とを出力し、管理部１０３は、受け取ったパケット識別子２１０を有する付加データパケット２１の有効期間２１２の“２４時間”の部分を“１時間”に書き換え、放送ストリーム記憶部１０２に記憶させる。これにより、有効期間の変更が完了する。
【０１４７】
なお、一つの放送番組内に複数の付加情報が存在する場合、有効期間変更ウィンドウ３１０内に、複数の付加情報の内容や有効期間等が表示され、それぞれに有効期間の変更が可能である。
【０１４８】
このように、実施の形態３における受信装置１２２は、ユーザが、付加情報ごとに表示の有効期間を設定することができる。これにより、例えば、ユーザにとって付加情報の内容が非常に興味深く、その付加情報が表示される有効期間を長くしたい場合、実施の形態２の受信装置１２１とは異なり、その種別と関係なく有効期間を長く設定できる。
【０１４９】
なお、受信装置１２２が受信し処理する対象は実施の形態１における放送ストリーム２であるとしたが、実施の形態２における放送ストリーム３をその対象としてもよい。
【０１５０】
放送ストリーム３は、データ項目として種別２１４を有しており、種別２１４には放送時刻と種別番号とが含まれている（図７参照）。受信装置１２２において、有効期間取得部１１８が、この種別２１４に含まれる種別番号を削除しユーザが入力する有効期間を記録すればよい。
【０１５１】
この場合、受信装置１２２が、図１０に示す構成に加え、放送ストリーム３のための処理部、つまり、実施の形態２における受信装置１２１が備える定義取得部１１５と期間定義記憶部１１６と種別抽出部１１７とを備えることで、ユーザは付加情報の種別ごとに有効期間を設定でき、また、付加情報ごとに有効期間を変更できることとなる。
【０１５２】
また、付加情報ごとに有効期間の変更を行う場合、図１１に示す録画リスト表示画面３００からユーザが選択して行うとした。つまり、放送番組を録画した後に付加情報の有効期間を変更するとしたが、有効期間の変更は、放送番組の録画中、または再生中に行ってもよい。
【０１５３】
この場合、例えば、録画中または再生中に受信装置１２２の入力部１１３から入力されるユーザの指示を、有効期間取得部１１８が受け付け、管理部１０３へ送る。管理部１０３は、放送ストリーム記憶部１０２から、録画中または再生中の放送番組のタイトルや、その放送番組の放送ストリーム２のパケット識別子２１０等を読み出す。読み出されたタイトル等の情報を利用し、映像合成部１１２が、図１２に示す有効期間変更ウィンドウ３１０を生成し、出力中の放送番組に重ねて表示されるように出力する。ユーザが有効期間変更欄３１１へ入力した後の受信装置１２２の動作は上述の通りである。
【０１５４】
こうすることで、ユーザは、図１１に示す録画リスト表示画面３００を表示させることなく、録画中や録画した放送番組の再生中であっても、付加情報の有効期間の変更を行うことができる。
【０１５５】
上述のように、実施の形態１〜３の放送システムでは、放送番組に付加的に表示される付加情報の有効期間を設定することができる。これにより、録画された放送番組が受信装置１、受信装置１２１、または受信装置１２２において再生される際、設定された有効期間内にのみ付加情報が出力される。つまり、設定された有効期間を過ぎた後に録画された放送番組を再生した場合、付加情報は出力されることがなく、ユーザは、付加情報の表示に邪魔されることなく放送番組を視聴することができる。
【０１５６】
また、実施の形態１の放送システムでは、放送する側である放送事業者が送信装置５０において付加情報の有効期間を設定することができる。これにより、放送事業者の意図した期間にのみ付加情報の表示を行うことができ、例えば、付加情報の内容が刻々と変化する場合は、有効期間を短く設定し、非常に重大であり、なるべく多くのユーザに認知させたい内容である場合は、有効期間を長く設定することができる。
【０１５７】
また、実施の形態２の放送システムでは、ユーザが受信装置１２１において、付加情報の種別ごとに有効期間を設定することができる。これにより、例えば、ユーザは自分の関心の高い種別については一括して有効期間を長くすることができ、ある特定の種別について強い関心を持つユーザに対して、受信装置１２１の利便性を向上させることができる。
【０１５８】
更に、実施の形態３の放送システムでは、ユーザが受信装置１２２において、付加情報ごとに有効期間を設定することができる。これにより、例えば、幅広い興味範囲を持つユーザは、付加情報の種別に関係なく個別に有効期間の設定ができ、受信装置１２２の利便性を向上させることができる。
【０１５９】
なお、実施の形態１〜３の放送システムにおいて、有効期間が経過した付加情報は表示装置３０に表示されないとした。しかしながら、ユーザの意思により有効期間が経過し、表示されなくなった付加情報を再び表示させてもよい。
【０１６０】
図１３は、有効期間が経過し、表示されなくなった付加情報の存在をユーザに知らせるための画面表示例を示す図である。
【０１６１】
図１３に示すように、表示装置３０の画面３１の右下に、表示されなくなった付加情報の存在をユーザに知らせるためのマーク３２２が表示されている。
【０１６２】
この場合、例えば、受信装置１、受信装置１２１または受信装置１２２において、判定部１１１が、現在日時が有効期間経過後であると判定した場合、その旨を付加情報デコード部１０９に通知し、付加情報デコード部１０９がマーク３２２を生成し、映像合成部１１２に出力すればよい。または、映像合成部１１２がマーク３２２を生成してもよい。
【０１６３】
マーク３２２を見たユーザにより、入力部１１３から所定の指示が入力されると、管理部１０３が受付部１０４を介し、その指示を受け付ける。管理部１０３は、再生中の放送番組のタイトルや付加情報の有効期間等を読み出し出力する。出力された情報は、受付部１０４、映像・音声デコード部１０５を介し、映像合成部１１２が受け取る。映像合成部１１２は受け取った情報を利用し、図１４に示す有効期間変更ウィンドウ３２０を生成し、出力中の放送番組に重ねて表示されるように出力する。
【０１６４】
図１４は、有効期間が経過し、表示されなくなった付加情報の有効期間の変更を行うための有効期間変更ウィンドウの一例を示す図である。
【０１６５】
図１４に示す有効期間変更ウィンドウ３２０は、図１２に示す有効期間変更ウィンドウ３１０と同様の、付加情報の放送時刻や内容等が表示されており、ユーザは、付加情報の表示がいつ行われ、どのような内容であったかを知ることができる。また、有効期間指定欄３２１が表示されており、ユーザは、有効期間の指定を行うことができる。
【０１６６】
有効期間指定欄３２１は、付加情報の有効期間を指定するための選択・入力欄であり、ユーザは、“期間指定”、“無期限表示”または“マークを表示しない”の中からいずれか一つを、上記各項目の左に表示されているラジオボタンで選択することができる。
【０１６７】
ユーザにより“期間指定”が選択された場合は、有効期間の指定を受け付けることができる。例えば、放送時刻から２０時間後に再生している場合、２１時間以上の時間を指定されることにより、付加情報は再び表示装置３０に出力されることとなる。
【０１６８】
また、ユーザにより“無期限表示”が選択された場合、この放送番組が再生された際に、必ず付加情報を出力することとなる。この場合、例えば、管理部１０３が“無期限表示”の選択を受け取り、該当する付加データパケット２１の有効期間２１２または種別２１４に“無期限”という文字列を追加する。更に、判定部１１１が、“無期限”という文字列を有効期間抽出部１０８または種別抽出部１１７から受け取った場合は、常に、付加情報デコード部１０９に、付加情報データ２１３のデコードを指示すればよい。
【０１６９】
こうすることで、例えば歴史的な出来事についての臨時ニュースなど、ユーザが、いつでも見ることができるようにしておきたい付加情報に対して“無期限表示”を指定することにより、その付加情報は常に表示されるようになる。
【０１７０】
また、“マークを表示しない”が選択された場合、今後、図１３に示すマーク３２２は表示されない。この場合、例えば、管理部１０３が“マークを表示しない”の選択を受け取り、該当する付加データパケット２１の有効期間２１２または種別２１４に“マークＯＦＦ”という文字列を追加する。更に、判定部１１１が、“マークＯＦＦ”という文字列を有効期間抽出部１０８または種別抽出部１１７から受け取った場合は、現在日時が有効期間経過後であっても、付加情報デコード部１０９にマーク３２２の生成を指示しなければよい。
【０１７１】
こうすることで、例えば、ユーザが、まったく興味がない、今後見る価値がないと考える付加情報に対して“マークを表示しない”を指定することにより、その付加情報が含まれる放送番組を再生する際にマーク３２２が表示されることがない。つまり、ユーザに、付加情報の内容の確認などの無駄な操作をさせることがない。
【０１７２】
また、実施の形態１〜３の放送システムにおいて、付加情報は、放送番組の映像に重ねて表示されるとしたが、付加情報が表示される領域と放送番組が表示される領域とが分かれていてもよい。
【０１７３】
図１５は、付加情報が表示される領域と放送番組が表示される領域とが分かれている場合の表示例を示す図である。図１５（Ａ）に示すように、表示装置３０において、付加情報表示領域３３０と番組表示領域３４０とが表示されている。付加情報表示領域３３０には、付加情報である地震情報が表示されており、番組表示領域３４０には放送番組の映像が表示されている。
【０１７４】
この場合、例えば、映像合成部１１２が、付加情報である地震情報の字幕の映像と、放送番組の映像とを重ねずに、付加情報表示領域３３０と番組表示領域３４０とに分けてそれら二つの映像が表示されるように合成すればよい。
【０１７５】
また、付加情報の有効期間が経過した後は、図１５（Ｂ）に示すように、画面上から付加情報表示領域３３０をなくし、画面全体を番組表示領域３４０としてもよく、図１５（Ｃ）に示すように、画面上に付加情報の表示をせずに付加情報表示領域３３０を残してもよい。
【０１７６】
つまり、映像を合成する処理が上述の実施の形態１〜３の場合と異なるたけであり、図１５に示すように、付加情報表示領域３３０と番組表示領域３４０とを分けた場合においても、付加情報の有効期間に基づく表示制御を行うことができる。
【０１７７】
このように、付加情報表示領域３３０を設けることで、放送番組の表示の一部を隠すことなく、付加情報の表示を行うことができる。このことによっても、付加情報の表示がユーザに与える煩わしさを軽減させることができる。
【０１７８】
また、実施の形態１〜３の放送システムにおいて、付加情報の有効期間は、放送時刻から“３０分”など、放送時刻からの相対的な時間で定義したが、例えば、“２００５年２月２８日まで”などの絶対的な日時でもよい。
【０１７９】
こうすることで、ある特定の日時以降は無意味になるような付加情報、例えば、プレゼント募集の案内の情報などは、放送事業者またはユーザが明確な日時で設定でき便利である。
【０１８０】
また、実施の形態１の放送システムでは、放送事業者が付加情報の有効期間を個別に設定でき、実施の形態２では、ユーザが付加情報の有効期間を付加情報の種別ごとに設定できるとした。更に、実施の形態３では、ユーザが付加情報の有効期間を個別に設定できるとした。しかしながら、付加情報の有効期間の設定は、個別または種別ごとでなく、一括して設定してもよい。
【０１８１】
例えば、受信装置１において、上述の放送ストリーム２のように実体データと付加データとを多重された放送ストリームを受信した場合、判定部１１１が“1時間”という基準を持って付加情報を出力するか否かを決定すればよい。
【０１８２】
具体的には、受信装置１の時計１１０が示す現在日時が、放送ストリームの付加データパケットに含まれる放送時刻から１時間の間の日時である場合、付加情報デコード部１０９に付加情報データ２１３のデコードを指示すればよい。
【０１８３】
つまり、受信した放送ストリームに付加情報の有効期間を特定するための情報を有している場合でも、有していない場合でも、受信装置側で、上記のように“1時間”という一定の基準で一括して付加情報の有効期間を決定してもよい。こうすることで、例えば、付加情報の内容や種別に関係なく、簡易に付加情報の有効期間の設定を行いたいユーザに、簡易な設定方法を提供できることとなる。
【０１８４】
また、受信した放送ストリームの付加データパケットに放送時刻を示す情報が含まれていない場合、受信装置で受信した日時を放送ストリームに付与してもよい。例えば、受信装置１において、受信部１０１が、時計１１０を参照し、放送ストリームを受信した日時を示す情報を付与すればよい。
【０１８５】
同様に、放送ストリームの付加データパケットに付加情報の有効期間を特定するための情報を持たない場合、受信装置で付加データパケットに有効期間を書き込んでもよい。例えば、実施の形態３の受信装置１２２は、上述のように、有効期間の変更のための入力を受け付け、有効期間の変更を行うことができるが、この変更と同様の動作で、付加データパケットに有効期間を書き込むことができる。
【０１８６】
つまり、放送事業者が付加表示の有効期間の設定を行わなくても、ユーザが付加情報の有効期間の設定を行うことができる。
【０１８７】
上述のように、付加情報の有効期間の設定は、放送事業者またはユーザが、上述の実施の形態１〜３のように、付加情報ごとに、または付加情報の種別ごとに行ってもよく、また、その設定は放送ストリームの送信前でも、ユーザが受信した後でもよい。
【０１８８】
つまり、付加情報の有効期間を設定する機能は、送信装置および受信装置の少なくともどちらか一方が備えていればよい。また、有効期間の設定は、付加情報に個別的に行っても、一括して行っても、付加情報の種別等の所定の分類ごとにおこなってもよい。また、受信装置は、設定された有効期間に従い付加情報の出力を制御する機能を備えればよい。
【０１８９】
また、付加情報の有効期間の始期となる放送時刻に関しても、送信装置および受信装置の少なくともどちらか一方が、放送ストリームに放送時刻を付加する機能備えていればよい。受信装置では、厳密には放送時刻ではなく受信した日時を示す情報を付加することになるが、放送時刻と受信日時との間には、ほとんど差がなく、付加情報の有効期間に与える影響は実質的にない。そのため、放送ストリームに、放送時刻の換わりに受信日時を付加してもよい。
【０１９０】
こうすることで、放送事業者およびユーザのニーズや、各装置の製造コストなどを考慮し、最適な放送システムを構築することができる。
【０１９１】
また、実施の形態１〜３の放送システムにおいて、放送ストリーム２および放送ストリーム３の付加情報データ２１３はテキストデータである場合の説明を行ったが、付加情報データ２１３は、テキストデータ以外のデータ形式でもよい。
【０１９２】
例えば、放送事業者や番組タイトルのロゴなどの静止画データでもよい。また、例えば、秒針付きのアナログ時計のアニメーションなどの動画データでもよい。この場合、受信装置１等の受信装置が、それら静止画データまたは動画データをデコードする機能を持てばよい。
【０１９３】
こうすることで、例えば、放送事業者の意図した書体で臨時ニュース等の情報を表示させることができるなど、最終的に表示装置３０に表示される画面デザインに対して、放送事業者がより深く関与できることとなる。
【０１９４】
また、実施の形態１〜３における受信装置１、受信装置１２１または受信装置１２２において、録画済みの放送番組を再生させた際の付加情報の表示制御について説明したが、表示制御をタイムシフト再生に適用してもよい。
【０１９５】
タイムシフト再生とは、放送番組の録画中に、録画済みの部分を再生することであり、例えば、１時間番組の録画開始から３０分後に、録画は継続しながら、その番組の最初から再生することを指す。
【０１９６】
例えば、朝の番組で、現在日時を画面上に常に表示している場合を想定すると、ユーザが録画した後に再生した場合や、タイムシフト再生で実際の放送時刻から数分送らせて視聴した場合、表示上の時刻と実際の現在日時とのずれが生じ、ユーザが混乱する。
【０１９７】
そこで、送信装置５０において、付加情報データ２１３に、現在日時を表すテキストデータ、静止画データ、または動画データを設定し、有効期間２１２に、例えば“３０秒”という情報を設定した放送ストリームを生成し、受信装置に送信する。つまり時刻を表示する有効期間が“３０秒”である付加データとして送信する。
【０１９８】
これにより、録画後の再生やタイムシフト再生の場合に、放送時刻とのずれが３０秒以上である場合は自動的に時刻の表示を消すことができ、ユーザを混乱させることがない。
【０１９９】
タイムシフト再生とは、上述のように、録画中の放送番組を再生することであり、放送時刻と再生時刻とが比較的近い場合が多い。そのため、ユーザは、現在放送されている番組をそのまま視聴しているのか、または、タイムシフト再生で実際の放送を視聴しているのかを混同しやすい状態にある。そのため、実際の現在日時を誤認識させないように、時刻の表示を制御することは、ユーザにとって有意義なことである。
【０２００】
同様の理由で、生放送であることを示すために画面上に表示される「生放送中」や「ＬＩＶＥ」等も、表示の有効期間が設定された付加データとして送信し、表示を特定の期間に限定する制御をすることで、ユーザの混乱を防ぐことができる。
【０２０１】
また、受信装置１、受信装置１２１および受信装置１２２は放送ストリーム記憶部１０２を備え、放送ストリームを記憶する、つまり、放送番組を録画する機能を有するとしたが、放送ストリーム記憶部１０２を別の装置として構成してもよい。また、同様に受信部１０１を別の装置として構成してもよい。
【０２０２】
また、受信装置１、受信装置１２１および受信装置１２２がデコード等の処理の対象とする放送ストリームは、送信装置５０から送信されたもの、または、放送ストリーム記憶部１０２に記憶されているものとした。しかしながら、放送ストリームの取得源は別の媒体等でもよく、例えば、ＤＶＤ等の記憶媒体に記憶されているものでもよい。
【０２０３】
また、例えば、付加データ処理部１２を表示装置３０に組み込み、表示装置３０で、付加情報の表示制御を行ってもよい。また、例えば、受信装置１に表示装置３０が有する映像表示機能を組み込み、放送ストリームの受信および記憶からユーザに対する放送番組の表示までを行うことのできる一体型の装置として構成してもよい。
【０２０４】
このように、ユーザ側の装置である受信装置１、受信装置１２１または受信装置１２２や表示装置３０の各構成部は、個別の独立した装置としてもよく、また、複数の構成部からなる一体型の、または複数の装置として構成してもよい。
【０２０５】
こうすることで、例えば、ユーザのニーズや製造コストに合わせた受信装置等の設計および製造を行うことができる。
【０２０６】
また、実施の形態１〜３における放送ストリーム２および放送ストリーム３は、映像データおよび音声データを含んでいるとしたが、映像データのみの放送ストリームでもよい。また、放送事業者から送信される番組放送の放送ストリームでなくてもよく、通信事業者や個人が、映像を表示させるために、有線または無線で送信するデータを、受信装置１、受信装置１２１または受信装置１２２の処理の対象としてもよい。この場合、通信事業者や個人から、映像データ等の実体データと付加情報とが分離可能に構成されたデータで送信されていればよい。
【０２０７】
また、実施の形態１〜３の放送システムにおいて、デジタルテレビ放送が行われる場合の例を説明したが、アナログテレビ放送が行われる場合に実施の形態１〜３の放送システムを適用させてもよい。
【０２０８】
例えば、アナログテレビ放送において行われている文字多重放送の仕組みを利用し、放送番組のデータに多重して送信される文字情報に表示の有効期間の情報を含ませることにより、受信装置側で文字情報の表示の制御を行うことができる。
【０２０９】
上述のように、デジタル放送の放送ストリーム以外のデータを送受信の対象とすることにより、本発明の実施の形態１〜３の放送システムの有用性を向上させることができる。
【産業上の利用可能性】
【０２１０】
本発明の表示制御装置は、映画やドラマ、音楽番組等の放送において、放送波を受信し、付加情報の表示の制御を行うための表示制御装置として利用できる。また、本発明の表示制御装置は、テレビやハードディスクレコーダ等に内蔵することができ、これらテレビ等における表示制御装置として有用である。また、本発明の送信装置は、付加情報の表示の制御を行わせるための放送波を送信する送信装置として有用である。
【図面の簡単な説明】
【０２１１】
【図１】実施の形態１の放送システムの概要を示す図である。
【図２】実施の形態１における送信装置および受信装置の構成の概要を示す図である。
【図３】実施の形態１における送信装置の機能的な構成を示す機能ブロック図である。
【図４】実施の形態１における送信装置から送信される放送ストリームのデータ構成の一例を示す図である。
【図５】実施の形態１における受信装置の機能的な構成を示す機能ブロック図である。
【図６】実施の形態１における受信装置が放送ストリームを処理し表示装置に出力する際の動作の流れを示すフロー図である。
【図７】実施の形態２における送信装置が生成し送信する放送ストリームのデータ構成例を示す図である。
【図８】実施の形態２における受信装置の機能的な構成を示す機能ブロック図である。
【図９】期間定義記憶部に記憶されている期間定義情報のデータ構成の一例を示す図である。
【図１０】実施の形態３における受信装置の機能的な構成を示す機能ブロック図である。
【図１１】映像合成部によって生成され、表示装置に表示される録画リスト表示画面の一例を示す図である。
【図１２】映像合成部によって生成され、表示装置に表示される有効期間変更ウィンドウの一例を示す図である。
【図１３】有効期間が経過し、表示されなくなった付加情報の存在をユーザに知らせるための画面表示例を示す図である。
【図１４】有効期間が経過し、表示されなくなった付加情報の有効期間の変更を行うための有効期間変更ウィンドウの一例を示す図である。
【図１５】付加情報が表示される領域と放送番組が表示される領域とが分かれている場合の表示例を示す図である。
【図１６】従来の技術において、放送番組に加え優先表示情報が表示された状態と消された状態とを示す図である。
【符号の説明】
【０２１２】
１、１２１、１２２      受信装置
１１  実体データ処理部
１２  付加データ処理部
３０  表示装置
４０  キーボード
４１  ディスプレイ
５０  送信装置
５１  実体データ生成部
５２  付加データ生成部
５３  放送番組記憶部
５４  映像・音声データパケット生成部
５６  受付部
５７  有効期間設定部
５８  付加データパケット生成部
５９  多重化部
１０１  受信部
１０２  放送ストリーム記憶部
１０３  管理部
１０４  受付部
１０５  映像・音声デコード部
１０６  付加データパケット抽出部
１０７  フラグ抽出部
１０８  有効期間抽出部
１０９  付加情報デコード部
１１０  時計
１１１  判定部
１１２  映像合成部
１１３  入力部
１１５  定義取得部
１１６  期間定義記憶部
１１７  種別抽出部
１１８  有効期間取得部
【図１】
2006245946.tif 000003
【図２】
2006245946.tif 000004
【図３】
2006245946.tif 000005
【図４】
2006245946.tif 000006
【図５】
2006245946.tif 000007
【図６】
2006245946.tif 000008
【図７】
2006245946.tif 000009
【図８】
2006245946.tif 000010
【図９】
2006245946.tif 000011
【図１０】
2006245946.tif 000012
【図１１】
2006245946.tif 000013
【図１２】
2006245946.tif 000014
【図１３】
2006245946.tif 000015
【図１４】
2006245946.tif 000016
【図１５】
2006245946.tif 000017
【図１６】
2006245946.tif 000018